(57)【要約】      （修正有）【課題】簡素な構成で複数枚のプレートのスライドを容易にする回転スライド扇子を提供する。【解決手段】回転スライド扇子１は、互いに重ね合わされた閉状態と、一端側（下側）の回転中心部を回転中心として互いに異なる角度をなすように他端側（上側）が回転した開状態とにスライド可能な複数枚のプレート１０〜４０を備える。複数枚のプレートは、回転中心部に回転中心孔１１、２１、３１が設けられた１枚以上の被支持プレート１０〜３０と、切り込みにより設けられ回転中心部から他端側に突出する第１押さえ部４１及び回転中心部から第１押さえ部４１とは反対方向に突出する第２押さえ部４２を含む支持プレート４０とを有する。第１押さえ部４１及び第２押さえ部４２は、回転中心孔１１、２１、３１に挿入され、被支持プレート１０〜３０を回転方向にスライド可能に支持する。【選択図】図２
0003233546.tif 000002
【実用新案登録請求の範囲】
【請求項１】
互いに重ね合わされた閉状態と、当該閉状態から一端側の回転中心部を回転中心として互いに異なる角度をなすように他端側が回転した開状態とにスライド可能な複数枚のプレートを備える回転スライド扇子において、
前記複数枚のプレートは、
前記回転中心部に回転中心孔が設けられた１枚以上の被支持プレートと、
切り込みにより設けられ前記回転中心部から前記他端側に突出する第１押さえ部と、前記回転中心部から前記第１押さえ部とは反対方向に突出する第２押さえ部とを含む支持プレートとを有し、
前記第１押さえ部及び前記第２押さえ部は、前記回転中心孔に挿入され、前記被支持プレートを回転方向にスライド可能に支持する
ことを特徴とする回転スライド扇子。
【請求項２】
前記第１押さえ部及び前記第２押さえ部は、前記一端と前記他端とを通る前記支持プレートの中心線に対して、前記複数枚のプレートの前記回転方向とは反対方向にシフトした方向に突出する
ことを特徴とする請求項１又は２記載の回転スライド扇子。
【請求項３】
前記被支持プレート及び前記支持プレートは、前記一端側と前記他端側とを結ぶ両側の辺のうちの少なくとも一方の辺に設けられた切り欠きと、当該切り欠きの奥に設けられ、隣接する前記支持プレート又は前記被支持プレートの前記辺が挿入される切り込みと、当該切り込みの奥に設けられ、湾曲した折り返しと、を含む差し込み部を有し、当該差し込み部によって前記開状態において隣接する前記支持プレート又は前記被支持プレートに固定される
ことを特徴とする請求項１又は２記載の回転スライド扇子。
【考案の詳細な説明】
【技術分野】
【０００１】
本考案は、回転方向にスライド可能な複数枚のプレートを備える回転スライド扇子に関する。
【背景技術】
【０００２】
従来、複数の厚紙に孔及び切り込みを設け、１枚の厚紙に設けた突起をすべての厚紙の孔に挿入することによって複数の厚紙を束ね、隣接する厚紙の切り込みを重ね合わせることによって複数の厚紙を扇状に固定する扇子が提案されている（例えば、特許文献１及び２参照）。
【先行技術文献】
【特許文献】
【０００３】
【特許文献１】実用新案登録第３１３２２００号公報
【特許文献２】実用新案登録第３２２８２０７号公報
【考案の概要】
【考案が解決しようとする課題】
【０００４】
上述のように１枚の厚紙に設けた突起をすべての厚紙の孔に通すことによって扇状に固定する扇子は、各厚紙が円滑にスライドしにくいため、ユーザにとって使用しやすいものではなかった。また、突起が１枚の厚紙で一体に形成されるため、簡素な構成ではあるが、繰り返しの使用により突起が破損しやすくなる問題もある。このように突起が破損すると、厚紙をスライドさせるのが困難になる。
【０００５】
本考案の目的は、複数枚のプレートを備える回転スライド扇子において、簡素な構成でプレートのスライドを容易にすることである。
【課題を解決するための手段】
【０００６】
１つの態様では、回転スライド扇子は、互いに重ね合わされた閉状態と、当該閉状態から一端側の回転中心部を回転中心として互いに異なる角度をなすように他端側が回転した開状態とにスライド可能な複数枚のプレートを備える回転スライド扇子において、前記複数枚のプレートは、前記回転中心部に回転中心孔が設けられた１枚以上の被支持プレートと、切り込みにより設けられ前記回転中心部から前記他端側に突出する第１押さえ部と、前記回転中心部から前記第１押さえ部とは反対方向に突出する第２押さえ部とを含む支持プレートとを有し、前記第１押さえ部及び前記第２押さえ部は、前記回転中心孔に挿入され、前記被支持プレートを回転方向にスライド可能に支持する。
【考案の効果】
【０００７】
前記態様によれば、複数枚のプレートを備える回転スライド扇子において、簡素な構成でプレートのスライドを容易にすることができる。
【図面の簡単な説明】
【０００８】
【図１】一実施の形態に係る開状態の回転スライド扇子を示す正面図である。
【図２】一実施の形態に係る開状態の回転スライド扇子を示す背面図である。
【図３】一実施の形態に係る閉状態の回転スライド扇子を示す正面図及び背面図である。
【図４】一実施の形態における各プレートを示す正面図である。
【考案を実施するための形態】
【０００９】
以下、本考案の一実施の形態に係る回転スライド扇子について、図面を参照しながら説明する。
【００１０】
図１は、一実施の形態に係る開状態の回転スライド扇子１を示す正面図である。
【００１１】
図２は、開状態の回転スライド扇子１を示す背面図である。
【００１２】
図３は、閉状態の回転スライド扇子１を示す（ａ）正面図及び（ｂ）背面図である。
【００１３】
図４は、（ａ）支持プレート４０、（ｂ）被支持プレート１０，２０、及び（ｃ）被支持プレート３０を示す正面図である。
【００１４】
なお、図１〜図４には、後述する複数枚のプレート１０〜４０が重ねられる方向を前後方向、プレート１０〜４０の回転中心部側（一端側）を下側とした場合の一例として、上下方向、左右方向、及び前後方向を図示する。
【００１５】
図１に示すように、回転スライド扇子１は、複数枚のプレート１０〜４０を備える。複数枚のプレート１０〜４０は、３枚の被支持プレート１０〜３０と、支持プレート４０とを有する。
【００１６】
各プレート１０〜４０は、１枚の紙製である。なお、複数枚のプレート１０〜４０は、ＰＰ（ポリプロピレン）等のプラスチックやその他の材料からなるものであっても、或いは他の部材が取付けられていてもよいが、１枚の紙製であることが望ましい。
【００１７】
複数枚のプレート１０〜４０は、図３（ａ）に示すように、手前から支持プレート４０、被支持プレート１０、被支持プレート２０、被支持プレート３０の順に互いに重ね合わされた閉状態と、この閉状態から一端側（図３における下側）の回転中心部を回転中心として互いに異なる角度をなすように他端側（図３における上側）が回転した図１及び図２に示す開状態とにスライド可能である。
【００１８】
図４（ｂ）及び（ｃ）に示すように、被支持プレート１０〜３０は、下側の回転中心部に回転中心孔１１，２１，３１が設けられている。なお、図４（ｂ）には、互いに同一形状とすることができる被支持プレート１０，２０を１枚のみ図示する。
【００１９】
回転中心孔１１，２１，３１には、左上方に窪んだ凹部１１ａ，２１ａ，３１ａが設けられている。このように凹部１１ａ，２１ａ，３１ａが設けられていることによって、支持プレート４０の後述する第１押さえ部４１及び第２押さえ部４２を回転中心孔１１，２１，３１に挿入しやすくすることができる。また、例えば凹部３１ａが第１押さえ部４１に接触することによって、各プレート１０〜４０の所望の回転方向Ｒとは逆方向への回転を規制することも可能になる。
【００２０】
なお、被支持プレート１０〜３０は、少なくとも１枚あればよく、枚数は限定されない。
【００２１】
図４（ａ）に示すように、支持プレート４０は、第１押さえ部４１と、第２押さえ部４２とを含む。
【００２２】
第１押さえ部４１及び第２押さえ部４２は、図１〜図３に示すように被支持プレート１０〜３０の回転中心孔１１，２１，３１に挿入され、被支持プレート１０〜３０を回転方向Ｒにスライド可能に支持する。
【００２３】
第１押さえ部４１は、切り込みにより設けられ、回転中心部（下側）から他端側（上側）に突出する。ここで、第１押さえ部４１は、一端（下端）と他端（上端）とを通る支持プレート４０の中心線Ｃに対して、複数枚のプレート１０の所望の回転方向Ｒ（図４（ａ）では時計回り）とは反対方向にシフトした方向に突出する（第１押さえ部４１の１点鎖線参照）。また、第１押さえ部４１の切り込みの根元部分は、この根元部分の破損を抑制するために、上方に向かうように湾曲して折り返されている。
【００２４】
第２押さえ部４２は、回転中心部（下側）から第１押さえ部４１とは反対方向（下方）に突出する。第２押さえ部４２は、第１押さえ部４１と同様に、支持プレート４０の中心線Ｃに対して、複数枚のプレート１０の回転方向Ｒ（図４（ａ）では時計回り）とは反対方向にシフトした方向に突出する（第２押さえ部４２の１点鎖線参照）。なお、第２押さえ部４２の先端は、第２押さえ部４２が中心線Ｃに対してシフトする方向（回転方向Ｒの反対方向）に膨らんでいる。
【００２５】
図１及び図２に示すように、被支持プレート１０〜３０及び支持プレート４０は、一端側（下側）と他端側（上側）とを結ぶ両側の辺のうちの少なくとも一方の辺に設けられた差し込み部１２，１３，２２，２３，３２，４３を有し、この差し込み部１２，１３，２２，２３，３２，４３によって開状態において隣接する支持プレート４０又は被支持プレート１０〜３０に固定される。
【００２６】
なお、被支持プレート１０，２０には両側の辺に、被支持プレート３０には右側の辺に、支持プレート４０には左側の辺に、差し込み部１２，１３，２２，２３，３２，４３が設けられている。
【００２７】
差し込み部１２，１３，２２，２３，３２，４３は、例えば三角形状の切り欠き１２ａ，１３ａ，２２ａ，２３ａ，３２ａ，４３ａと、この切り欠き１２ａ，１３ａ，２２ａ，２３ａ，３２ａ，４３ａの奥（三角形状の頂点）に設けられ、隣接する支持プレート４０又は被支持プレート１０〜３０の辺が挿入される切り込み１２ｂ，１３ｂ，２２ｂ，２３ｂ，３２ｂ，４３ｂと、この切り込み１２ｂ，１３ｂ，２２ｂ，２３ｂ，３２ｂ，４３ｂの奥に設けられ、湾曲した折り返し１２ｃ，１３ｃ，２２ｃ，２３ｃ，３２ｃ，４３ｃとを含む。なお、切り込み１２ｂ，１３ｂ，２２ｂ，２３ｂ，３２ｂ，４３ｂに挿入される隣接する４０又は被支持プレート１０〜３０の辺は、この隣接する支持プレート４０又は被支持プレート１０〜３０の差し込み部１２，１３，２２，２３，３２，４３であることが望ましい。
【００２８】
切り込み１３ｂ，２３ｂ，４３ｂは右上方向に向かって設けられ、切り込み１２ｂ，２２ｂ，３２ｂは左上方向に向かって設けられている。また、切り込み１３ｂ，２３ｂ，４３ｂは、切り込み１２ｂ，２２ｂ，３２ｂよりも長く形成されている。
【００２９】
折り返し１２ｃ，１３ｃ，２２ｃ，２３ｃ，３２ｃ，４３ｃは、切り込み１２ｂ，１３ｂ，２２ｂ，２３ｂ，３２ｂ，４３ｂの奥の破損を抑制するために、差し込み部１２，２２，３２では下側に、差し込み部１３，２３，４３では上側に湾曲するように設けられている。
【００３０】
なお、差し込み部１２，１３，２２，２３，３２，４３のそれぞれの形状や大きさは、各プレート１０〜４０の材質や厚さなどに応じて適宜設定されればよい。
【００３１】
以上説明した本実施の形態では、回転スライド扇子１は、互いに重ね合わされた閉状態（図３参照）と、この閉状態から一端側（下側）の回転中心部を回転中心として互いに異なる角度をなすように他端側（上側）が回転した開状態（図１及び図２参照）とにスライド可能な複数枚のプレート１０〜４０を備える。この複数枚のプレート１０〜４０は、１枚以上の被支持プレート１０〜３０と、支持プレート４０とを有する。被支持プレート１０〜３０は、回転中心部に回転中心孔１１，２１，３１が設けられている。支持プレート４０は、切り込みにより設けられ回転中心部から他端側に突出する第１押さえ部４１と、回転中心部から第１押さえ部４１とは反対方向に突出する第２押さえ部４２とを含む。第１押さえ部４１及び第２押さえ部４２は、回転中心孔１１，２１，３１に挿入され、被支持プレート１０〜３０を回転方向Ｒにスライド可能に支持する。
【００３２】
これにより、回転中心孔１１，２１，３１が設けられた被支持プレート１０〜３０や、回転中心孔１１，２１，３１に挿入される第１押さえ部４１及び第２押さえ部４２を含む支持プレート４０を用いた簡素な構成で、プレート１０〜４０（被支持プレート１０〜３０及び支持プレート４０）のスライドを容易にすることができる。
【００３３】
また、本実施の形態では、第１押さえ部４１及び第２押さえ部４２は、一端と他端とを通る支持プレート４０の中心線Ｃに対して、複数枚のプレート１０〜４０の回転方向Ｒとは反対方向にシフトした方向に突出する。
【００３４】
これにより、第１押さえ部４１及び第２押さえ部４２が、回転方向Ｒへスライド回転する被支持プレート１０〜３０の回転を妨げにくくなるため、プレート１０〜４０のスライドをより一層容易にすることができる。
【００３５】
また、本実施の形態では、被支持プレート１０〜３０及び支持プレート４０は、一端側と他端側とを結ぶ両側（左側及び右側）の辺のうちの少なくとも一方の辺に設けられた切り欠き１２ａ，１３ａ，２２ａ，２３ａ，３２ａ，４３ａと、この切り欠き１２，１３，２２，２３，３２，４３の奥に設けられ、隣接する支持プレート４０又は被支持プレート１０〜３０の上記の辺が挿入される切り込み１２ｂ，１３ｂ，２２ｂ，２３ｂ，３２ｂ，４３ｂと、この切り込み１２ｂ，１３ｂ，２２ｂ，２３ｂ，３２ｂ，４３ｂの奥に設けられ、湾曲した折り返し１２ｃ，１３ｃ，２２ｃ，２３ｃ，３２ｃ，４３ｃと、を含む差し込み部１２，１３，２２，２３，３２，４３を有し、この差し込み部１２，１３，２２，２３，３２，４３によって開状態において隣接する支持プレート４０又は被支持プレート１０〜３０に固定される。
【００３６】
これにより、隣接するプレート１０〜４０間の固定部分である差し込み部１２，１３，２２，２３，３２，４３において、切り欠き１２ａ，１３ａ，２２ａ，２３ａ，３２ａ，４３ａによって、隣接するプレート１０〜４０を受け入れやすくすることができるとともに、折り返し１２ｃ，１３ｃ，２２ｃ，２３ｃ，３２ｃ，４３ｃによって、切り込み１２ｂ，１３ｂ，２２ｂ，２３ｂ，３２ｂ，４３ｂの奥の破損を抑制することができる。
【符号の説明】
【００３７】
１  回転スライド扇子
１０，２０，３０  被支持プレート
４０  支持プレート
１１，２１，３１  回転中心孔
１１ａ，２１ａ，３１ａ  凹部
１２，１３，２２，２３，３２，４３  差し込み部
１２ａ，１３ａ，２２ａ，２３ａ，３２ａ，４３ａ  切り欠き
１２ｂ，１３ｂ，２２ｂ，２３ｂ，３２ｂ，４３ｂ  切り込み
１２ｃ，１３ｃ，２２ｃ，２３ｃ，３２ｃ，４３ｃ  折り返し
４１  第１押さえ部
４２  第２押さえ部
Ｃ  中心線
Ｒ  回転方向
【図１】
0003233546.tif 000003
【図２】
0003233546.tif 000004
【図３】
0003233546.tif 000005
【図４】
0003233546.tif 000006
【手続補正書】
【提出日】令和3年6月11日(2021.6.11)
【手続補正１】
【補正対象書類名】実用新案登録請求の範囲
【補正対象項目名】全文
【補正方法】変更
【補正の内容】
【実用新案登録請求の範囲】
【請求項１】
互いに重ね合わされた閉状態と、当該閉状態から一端側の回転中心部を回転中心として互いに異なる角度をなすように他端側が回転した開状態とにスライド可能な複数枚のプレートを備える回転スライド扇子において、
前記複数枚のプレートは、
前記回転中心部に回転中心孔が設けられた１枚以上の被支持プレートと、
切り込みにより設けられ前記回転中心部から前記他端側に突出する第１押さえ部と、前記回転中心部から前記第１押さえ部とは反対方向に突出する第２押さえ部とを含む支持プレートとを有し、
前記第１押さえ部及び前記第２押さえ部は、前記回転中心孔に挿入され、前記被支持プレートを回転方向にスライド可能に支持する
ことを特徴とする回転スライド扇子。
【請求項２】
前記第１押さえ部及び前記第２押さえ部は、前記一端と前記他端とを通る前記支持プレートの中心線に対して、前記複数枚のプレートの前記回転方向とは反対方向にシフトした方向に突出する
ことを特徴とする請求項１記載の回転スライド扇子。
【請求項３】
前記被支持プレート及び前記支持プレートは、前記一端側と前記他端側とを結ぶ両側の辺のうちの少なくとも一方の辺に設けられた切り欠きと、当該切り欠きの奥に設けられ、隣接する前記支持プレート又は前記被支持プレートの前記辺が挿入される切り込みと、当該切り込みの奥に設けられ、湾曲した折り返しと、を含む差し込み部を有し、当該差し込み部によって前記開状態において隣接する前記支持プレート又は前記被支持プレートに固定される
ことを特徴とする請求項１又は２記載の回転スライド扇子。